(57)【要約】ユーザ装置とネットワークとの間のトラフィックに対する通信接続を確立する方法において、好ましい通信接続の指示を含む通信接続要求をユーザ装置からネットワーク要素へ送信するステップと、この要求の少なくとも一部分をネットワーク要素において受信するステップと、トラフィックに対する通信接続をネットワーク要素において選択するステップと、その選択された通信接続をユーザ装置へ通信するステップと、を備えた方法が開示される。
2005536092.tif 000002
【特許請求の範囲】
【請求項１】
ユーザ装置とネットワークとの間のトラフィックに対する通信接続を確立するための方法において、好ましい通信接続の指示を含む通信接続要求を前記ユーザ装置からネットワーク要素へ送信するステップと、前記要求の少なくとも一部分を前記ネットワーク要素において受信するステップと、トラフィックに対する通信接続を前記ネットワーク要素において選択するステップと、その選択された通信接続を前記ユーザ装置へ通信するステップと、を備えた方法。
【請求項２】
前記通信接続は、ＰＤＰコンテクストである請求項１に記載の方法。
【請求項３】
前記通信ステップは、前記選択されたＰＤＰコンテクストを識別するメッセージを前記ユーザ装置へ送信することを含む請求項２に記載の方法。
【請求項４】
前記通信ステップは、非選択のＰＤＰコンテクストを識別するメッセージを前記ユーザ装置へ送信することを含む請求項２に記載の方法。
【請求項５】
ＰＤＰコンテクストを選択する前記ステップは、好ましいＰＤＰコンテクストと、前記ネットワークによりサポートされるＰＤＰコンテクストとに基づく請求項２から４のいずれかに記載の方法。
【請求項６】
前記通信ステップは、前記好ましいＰＤＰコンテクストが選択されたことを確認するメッセージを前記ユーザ装置に送信することを含む請求項５に記載の方法。
【請求項７】
前記通信ステップは、前記好ましいＰＤＰコンテクストを拒絶するメッセージを前記ユーザ装置に送信することを含む請求項５に記載の方法。
【請求項８】
前記メッセージは、前記好ましいＰＤＰコンテクストに対する代替物を識別する請求項５に記載の方法。
【請求項９】
前記選択ステップは、前記ＰＤＰコンテクストにおいて送信されるべきトラフィックの形式を決定することを含む請求項２から８のいずれかに記載の方法。
【請求項１０】
前記選択ステップは、第１組のトラフィック形式として第１のＰＤＰコンテクストを選択し、そして第２組のトラフィック形式として第２のＰＤＰコンテクストを選択することを含む請求項２から９のいずれかに記載の方法。
【請求項１１】
前記通信ステップは、許可されたトラフィック形式を前記ユーザ装置へ通信することを含む請求項９又は１０に記載の方法。
【請求項１２】
前記トラフィックは、シグナリングトラフィックである請求項２から１１のいずれかに記載の方法。
【請求項１３】
前記少なくとも２つのＰＤＰコンテクストは、専用のシグナリングＰＤＰコンテクスト及び汎用のＰＤＰコンテクストを含む請求項２から１２のいずれかに記載の方法。
【請求項１４】
前記ユーザ装置からのＰＤＰ要求を更に別のネットワーク要素において受信するステップと、そのＰＤＰ要求を前記更に別のネットワーク要素から前記ネットワーク要素へ送信するステップとを更に備えた請求項２から１３のいずれかに記載の方法。
【請求項１５】
前記更に別のネットワーク要素は、前記要求から前記好ましいＰＤＰコンテクストを除去し、前記更に別のネットワーク要素から前記ネットワーク要素へ送信される前記要求が好ましいＰＤＰコンテクストの指示を含まないようにする請求項１４に記載の方法。
【請求項１６】
前記通信ステップは、原因コード又はシグナリングフラグを送信することを含む請求項２から１５のいずれかに記載の方法。
【請求項１７】
前記通信要求は、非常接続要求を識別する請求項１又は２に記載の方法。
【請求項１８】
前記通信要求は、非常ＰＤＰコンテクストを識別する請求項２又は１７に記載の方法。
【請求項１９】
トラフィックに対する通信の前記選択は、ネットワークポリシーに基づく請求項１７又は１８に記載の方法。
【請求項２０】
ユーザ装置とネットワークとの間のシグナリングトラフィックのためのＰＤＰコンテクストを確立する方法において、前記ユーザ装置からの、好ましいＰＤＰコンテクストの認識を含む第１のＰＤＰ要求を第１ネットワーク要素で受信するステップと、前記第１ネットワーク要素からの、前記第１のＰＤＰ要求の少なくとも一部分を含む第２のＰＤＰ要求を第２ネットワーク要素で受信するステップと、シグナリングトラフィックに対するＰＤＰコンテクストを前記第２ネットワーク要素において選択するステップと、その選択されたＰＤＰコンテクストを前記ユーザ装置に対して確認するステップと、を備えた方法。
【請求項２１】
前記第２のＰＤＰ要求は、前記好ましいＰＤＰコンテクストの認識を含み、前記第２ネットワーク要素は、前記好ましいＰＤＰコンテクスト及び前記ネットワークによりサポートされるＰＤＰコンテクストに基づいてＰＤＰコンテクストを選択する請求項２０に記載の方法。
【請求項２２】
前記第２のＰＤＰ要求は、前記好ましいＰＤＰコンテクストの認識を含まず、前記第２ネットワーク要素は、前記ネットワークによりサポートされるＰＤＰコンテクストに基づいてＰＤＰコンテクストを選択する請求項２０に記載の方法。
【請求項２３】
前記選択されたＰＤＰコンテクストは、デフォールトＰＤＰコンテクストである請求項２２に記載の方法。
【請求項２４】
前記選択されたＰＤＰコンテクストは、専用のシグナリングＰＤＰコンテクスト及び汎用のＰＤＰコンテクストの一方を含む請求項２１から２３のいずれかに記載の方法。
【請求項２５】
前記確認ステップは、原因コードを前記ユーザ装置へ送信することを含む請求項２１から２４のいずれかに記載の方法。
【請求項２６】
前記好ましいＰＤＰコンテクストは、非常ＰＤＰコンテクストである請求項２０に記載の方法。
【請求項２７】
請求項２から２６のいずれかに記載の方法を実行するように適応されたコンピュータプログラムコードを記憶するためのコンピュータプログラム製品。
【請求項２８】
ユーザ装置とネットワークとの間のトラフィックに対する通信接続を決定するネットワーク要素において、前記ユーザ装置から通信接続要求を受信する手段と、前記トラフィックに対する通信チャンネルを選択する手段と、その選択された通信を前記ユーザ装置へ通信する手段とを備えたネットワーク要素。
【請求項２９】
前記通信チャンネルは、ＰＤＰコンテクストである請求項２８に記載のネットワーク要素。
【請求項３０】
前記通信チャンネル要求は、好ましい通信チャンネルの認識を含む請求項２８又は２９に記載のネットワーク要素。
【請求項３１】
前記通信手段は、選択されたＰＤＰコンテクストを識別するメッセージを前記ユーザ装置へ送信するように適応される請求項２８又は３０に記載のネットワーク要素。
【請求項３２】
前記通信手段は、非選択のＰＤＰコンテクストを識別するメッセージを前記ユーザ装置へ送信するように適応される請求項２８又は３０に記載のネットワーク要素。
【請求項３３】
少なくとも２つのＰＤＰコンテクストの一方を選択するための手段は、ネットワークによりサポートされたＰＤＰコンテクストに応答する請求項２８から３２のいずれかに記載のネットワーク要素。
【請求項３４】
前記ＰＤＰ要求は、好ましいＰＤＰコンテクストの認識を含み、前記選択手段は、更に、その好ましいＰＤＰコンテクストにも応答する請求項３３に記載のネットワーク要素。
【請求項３５】
前記通信手段は、前記好ましいＰＤＰコンテクストが選択されたことを確認するメッセージを前記ユーザ装置に送信するよう適応される請求項３４に記載のネットワーク要素。
【請求項３６】
前記選択手段は、前記ＰＤＰコンテクストにおいて送信されるべきトラフィックの形式を決定するための手段を含む請求項２９から３５のいずれかに記載のネットワーク要素。
【請求項３７】
前記選択手段は、第１組のシグナリング形式として第１のＰＤＰコンテクストを選択する手段と、第２組のシグナリング形式として第２のＰＤＰコンテクストを選択する手段とを備えた請求項２９から３６のいずれかに記載のネットワーク要素。
【請求項３８】
前記通信手段は、許可されたトラフィック形式を前記ユーザ装置へ通信するように適応される請求項３６又は３７に記載のネットワーク要素。
【請求項３９】
前記トラフィックは、シグナリングトラフィックである請求項２９から３８のいずれかに記載のネットワーク要素。
【請求項４０】
前記ＰＤＰコンテクストは、専用のシグナリングＰＤＰコンテクスト及び汎用のＰＤＰコンテクストを含む請求項２９から３９のいずれかに記載のネットワーク要素。
【請求項４１】
ゲートウェイＧＰＲＳサポートノードを備えた請求項２９から４０のいずれかに記載のネットワーク要素。
【請求項４２】
前記要求手段は、サービングＧＰＲＳサポートノードからＰＤＰ要求を受信するように接続される請求項４１に記載のネットワーク要素。
【請求項４３】
前記好ましい通信チャンネルは、非常通信チャンネルである請求項３４に記載のネットワーク要素。
【請求項４４】
ユーザ装置とネットワークとの間のトラフィックに対するＰＤＰコンテクストを決定するネットワーク要素において、前記ユーザ装置からの、好ましいＰＤＰコンテクストの認識を含む第１のＰＤＰ要求を第１ネットワーク要素で受信する手段と、前記第１ネットワーク要素からの、前記第１のＰＤＰ要求の少なくとも一部分を含む第２のＰＤＰ要求を第２ネットワーク要素で受信する手段であって、前記第２ネットワーク要素が、トラフィックに対するＰＤＰコンテクストを選択する手段を含むものである手段と、その選択されたＰＤＰコンテクストを前記ユーザ装置に対して確認する手段と、を備えたネットワーク要素。
【請求項４５】
前記第２のＰＤＰ要求は、前記好ましいＰＤＰコンテクストの認識を含み、前記選択手段は、前記好ましいＰＤＰコンテクスト及び前記ネットワークによりサポートされるＰＤＰコンテクストに基づく請求項４４に記載のネットワーク要素。
【請求項４６】
前記第２のＰＤＰ要求は、前記好ましいＰＤＰコンテクストの認識を含まず、前記第２ネットワーク要素は、前記ネットワークによりサポートされるＰＤＰコンテクストに基づいてＰＤＰコンテクストを選択する請求項４５に記載のネットワーク要素。
【請求項４７】
前記選択されたＰＤＰコンテクストは、デフォールトＰＤＰコンテクストである請求項４６に記載のネットワーク要素。
【請求項４８】
前記選択されたＰＤＰコンテクストは、専用のシグナリングＰＤＰコンテクスト及び汎用のＰＤＰコンテクストの一方である請求項４４から４７のいずれかに記載のネットワーク要素。
【請求項４９】
前記第１ネットワーク要素はＳＧＳＮであり、そして前記第２ネットワーク要素はＧＧＳＮである請求項４４から４８のいずれかに記載のネットワーク要素。
【請求項５０】
前記メッセージは、前記ユーザ装置への原因コードである請求項４９に記載のネットワーク要素。
【請求項５１】
前記好ましいＰＤＰコンテクストは、非常ＰＤＰコンテクストである請求項４４に記載のネットワーク要素。
【請求項５２】
ユーザ装置からの、好ましいＰＤＰコンテクストの認識を含むＰＤＰ要求を受信するためのサービングＧＰＲＳサポートノードと、このサービングＧＰＲＳサポートノードからのＰＤＰ要求を受信するためのゲートウェイＧＰＲＳサポートノードとを備えた通信システムにおいて、前記ゲートウェイＧＰＲＳサポートノードは、ネットワークによりサポートされるＰＤＰコンテクストに基づいてユーザ装置と通信システムとの間のシグナリングトラフィックに対して専用のシグナリングＰＤＰコンテクスト又は汎用のＰＤＰコンテクストを選択し、そしてその選択されたＰＤＰコンテクストを前記ユーザ装置に確認するように適応される通信システム。
【請求項５３】
前記ゲートウェイＧＰＲＳサポートノードは、好ましいＰＤＰコンテクストの認識を含むＰＤＰ要求をサービングＧＰＲＳノードから受信し、前記ゲートウェイＧＰＲＳサポートノードは、前記好ましいＰＤＰコンテクストの認識に更に基づいて前記シグナリングＰＤＰコンテクストを選択するように更に適応される請求項５２に記載の通信システム。
【請求項５４】
ＰＤＰコンテクストがユーザ装置とネットワークとの間に確立されるトラフィックである通信システムのための原因コードにおいて、前記ユーザ装置からのＰＤＰ要求をネットワーク要素で受信し、トラフィックに対して専用のシグナリングＰＤＰコンテクスト又は汎用のＰＤＰコンテクストを選択し、そしてその選択されたＰＤＰコンテクストを、原因コードを使用して前記ユーザ装置へ確認することにより、ＰＤＰコンテクストを確立するようにされた原因コード。
【請求項５５】
ネットワークによりアクチベートされたシグナリングＰＤＰコンテクストをユーザ装置へ指示する３ＧＰＰ  Ｒ５通信システムのための原因コード。
【発明の詳細な説明】
【技術分野】
【０００１】
本発明は、ユーザ装置とネットワークとの間のＰＤＰコンテクストのコンフィギュレーションに係り、より詳細には、シグナリングトラフィックのためのコンフィギュレーションに係る。本発明は、特に、２つ以上のあり得るＰＤＰコンテクストが与えられる状態、より詳細には、ＰＤＰコンテクストが専用のシグナリングＰＤＰコンテクスト及び汎用のＰＤＰコンテクストを含む状態に関するが、これに限定されない。
【背景技術】
【０００２】
３ＧＰＰシステムのような第三世代移動通信システムでは、ＰＤＰコンテクストが通信システムのユーザ装置（ＵＥ）とゲートウェイＧＰＲＳサポートノード（ＧＧＳＮ）との間の通信セッションを確立する。３ＧＰＰリリース５（Ｒ５）では、ＩＰマルチメディアサブシステムに関連したシグナリングトラフィックをＵＥとネットワークとの間で２つのＰＤＰコンテクストの一方、即ち専用のシグナリングＰＤＰコンテクスト又は汎用のＰＤＰコンテクストにおいて搬送できることが提案される。
【０００３】
３ＧＰＰ  Ｒ５では、ＵＥが、ネットワークへ送信されるプロトコルコンフィギュレーションオプション（ＰＣＯ）のフラグをセットすることにより、希望のＰＤＰコンテクストをネットワークに指示することが提案されている。このフラグがセットされた場合には、専用のシグナリングＰＤＰコンテクストに対する要求を指示する。このフラグがセットされない場合には、汎用のＰＤＰコンテクストに対する要求を指示する。
【０００４】
専用のシグナリングＰＤＰコンテクストは、ネットワークからのサポートを要求し、例えば、ネットワークは、専用のシグナリングＰＤＰコンテクストにおいてシグナリングトラフィックのみが搬送されることをチェックしなければならない。３ＧＰＰ  Ｒ５仕様は、ネットワークのオペレータが、専用のシグナリングＰＤＰコンテクストをサポートすべきかどうか選択するのを許す。専用のシグナリングＰＤＰコンテクストがネットワークオペレータによってサポートされない場合には、ユーザ装置は、ＩＰマルチメディアサブシステム関連シグナリングに対して汎用のＰＤＰコンテクストを使用しなければならない。
【０００５】
従って、ＵＥが専用のシグナリングＰＤＰコンテクストを要求する場合に、ネットワークは、これをサポートできなくてもよく、その結果、ユーザ装置による要求が促進されないことがある。
【０００６】
更に、ＰＤＰ要求は、サービングＧＰＲＳサポートノード（ＳＧＳＮ）を経てネットワークのゲートウェイＧＰＲＳサポートノード（ＧＧＳＮ）へ通信される。ＳＧＳＮがＲ５以前のバージョンである場合には、二次ＰＤＰコンテクストアクチベーション要求、又は専用のシグナリングＰＤＰコンテクストに対する要求を指示するＰＤＰコンテクスト変更要求において、シグナリングフラグの使用をサポートせず、このようなフラグ又は要求をＧＧＳＮへ転送しない。
【０００７】
従って、ＵＥが専用のシグナリングＰＤＰコンテクストを要求する場合には、ＧＧＳＮがその要求を受信しないことがあり、その結果、ユーザ装置による要求が促進されないことがある。
【０００８】
専用のシグナリングＰＤＰコンテクストに対する要求がネットワークにより受け入れられた場合には、ネットワークのオペレータは、どのトラフィックにこのようなＰＤＰコンテクストの使用が許されたか判断することを希望する。３ＧＰＰ  Ｒ５は、専用のシグナリングＰＤＰコンテクストにおけるトラフィックが形式ＳＩＰ、ＤＨＣＰ又はＤＮＳでなければならないことを指定する。しかしながら、ネットワークのオペレータは、専用のシグナリングＰＤＰコンテクストにおいて他の形式のトラフィックをサポートすることも希望する。例えば、専用のシグナリングＰＤＰコンテクストにおけるトラフィックは、ユーザに対して無料であってもよく、そしてオペレータは、他の形式のトラフィックが無料であることを許してもよい。
【発明の開示】
【発明が解決しようとする課題】
【０００９】
従って、専用のシグナリングＰＤＰコンテクストが受け入れられた場合には、ＵＥは、ネットワークがそのＰＤＰコンテクストにおいて搬送することを許したトラフィックの全ての形式を知らないことがある。
【００１０】
ＵＥにより要求されたＰＤＰコンテクストの形式を識別するフラグの送信に関連した前記問題は、専用のシグナリングＰＤＰコンテクストが要求されることを指示する以外のフラグについても言えることである。一般に、問題は、ＵＥが特定形式のＰＤＰコンテクストを要求する場合に関連し、例えば、ネットワークが特定の要求を確認も解釈もできず、一般的な要求を識別するだけである場合に関連している。
【００１１】
そこで、本発明の目的は、前記問題の１つ又は全部の解決策を提供することである。
【課題を解決するための手段】
【００１２】
本発明によれば、ユーザ装置とネットワークとの間のトラフィックに対する通信接続を確立するための方法において、好ましい通信接続の指示を含む通信接続要求をユーザ装置からネットワーク要素へ送信するステップと、前記要求の少なくとも一部分を前記ネットワーク要素において受信するステップと、トラフィックに対する通信接続を前記ネットワーク要素において選択するステップと、その選択された通信接続を前記ユーザ装置へ通信するステップとを備えた方法が提供される。通信接続は、ＰＤＰコンテクストであるのが好ましい。
【００１３】
前記通信ステップは、選択されたＰＤＰコンテクストを識別するメッセージをユーザ装置へ送信することを含んでもよい。前記通信ステップは、非選択のＰＤＰコンテクストを識別するメッセージをユーザ装置へ送信することを含んでもよい。ＰＤＰコンテクストを選択する前記ステップは、好ましいＰＤＰコンテクストと、ネットワークによりサポートされるＰＤＰコンテクストとに基づいてもよい。
【００１４】
前記通信ステップは、好ましいＰＤＰコンテクストが選択されたことを確認するメッセージをユーザ装置に送信することを含んでもよい。前記通信ステップは、好ましいＰＤＰコンテクストを拒絶するメッセージを前記ユーザ装置に送信することを含んでもよい。
【００１５】
メッセージは、好ましいＰＤＰコンテクストに対する代替物を識別してもよい。前記選択ステップは、ＰＤＰコンテクストにおいて送信されるべきトラフィックの形式を決定することを含んでもよい。前記選択ステップは、第１組のトラフィック形式として第１のＰＤＰコンテクストを選択し、そして第２組のトラフィック形式として第２のＰＤＰコンテクストを選択することを含んでもよい。
【００１６】
前記通信ステップは、許可されたトラフィック形式を前記ユーザ装置へ通信することを含んでもよい。トラフィックは、シグナリングトラフィックでよい。少なくとも２つのＰＤＰコンテクストは、専用のシグナリングＰＤＰコンテクスト及び汎用のＰＤＰコンテクストを含んでもよい。
【００１７】
前記方法は、更に、ユーザ装置からのＰＤＰ要求を更に別のネットワーク要素において受信するステップと、そのＰＤＰ要求を更に別のネットワーク要素から前記ネットワーク要素へ送信するステップとを含んでもよい。
【００１８】
前記更に別のネットワーク要素は、前記要求から前記好ましいＰＤＰコンテクストを除去し、前記更に別のネットワーク要素から前記ネットワーク要素へ送信される前記要求が好ましいＰＤＰコンテクストの指示を含まないようにしてもよい。
【００１９】
前記通信ステップは、原因コード又はシグナリングフラグを送信することを含んでもよい。
【００２０】
本発明は、更に、ユーザ装置とネットワークとの間のシグナリングトラフィックのためのＰＤＰコンテクストを確立する方法において、ユーザ装置からの、好ましいＰＤＰコンテクストの認識を含む第１のＰＤＰ要求を第１ネットワーク要素で受信するステップと、この第１ネットワーク要素からの、前記第１のＰＤＰ要求の少なくとも一部分を含む第２のＰＤＰ要求を第２ネットワーク要素で受信するステップと、シグナリングトラフィックに対するＰＤＰコンテクストを前記第２ネットワーク要素において選択するステップと、その選択されたＰＤＰコンテクストをユーザ装置に対して確認するステップと、を備えた方法を提供する。
【００２１】
第２のＰＤＰ要求は、好ましいＰＤＰコンテクストの認識を含むのが好ましく、第２ネットワーク要素は、好ましいＰＤＰコンテクスト及びネットワークによりサポートされるＰＤＰコンテクストに基づいてＰＤＰコンテクストを選択する。
【００２２】
第２のＰＤＰ要求は、好ましいＰＤＰコンテクストの認識を含まず、第２ネットワーク要素は、ネットワークによりサポートされるＰＤＰコンテクストに基づいてＰＤＰコンテクストを選択する。
【００２３】
選択されたＰＤＰコンテクストは、デフォールトＰＤＰコンテクストでよい。
選択されたＰＤＰコンテクストは、専用のシグナリングＰＤＰコンテクスト及び汎用のＰＤＰコンテクストの一方を含むものでよい。
確認ステップは、原因コードをユーザ装置へ送信することを含んでもよい。
【００２４】
本発明は、更に、方法請求項のいずれか１つに記載の方法を実行するように適応されたコンピュータプログラムコードを記憶するためのコンピュータプログラム製品も提供する。
【００２５】
本発明の更に別の態様によれば、ユーザ装置とネットワークとの間のトラフィックに対する通信接続を決定するネットワーク要素において、ユーザ装置から通信接続要求を受信する手段と、トラフィックに対する通信チャンネルを選択する手段と、その選択された通信をユーザ装置へ通信する手段とを備えたネットワーク要素が提供される。通信チャンネルは、ＰＤＰコンテクストであるのが好ましい。
【００２６】
通信チャンネル要求は、好ましい通信チャンネルの認識を含んでもよい。通信手段は、選択されたＰＤＰコンテクストを識別するメッセージをユーザ装置へ送信するように適応されてもよい。通信手段は、非選択のＰＤＰコンテクストを識別するメッセージをユーザ装置へ送信するように適応されてもよい。
【００２７】
少なくとも２つのＰＤＰコンテクストの一方を選択するための手段は、ネットワークによりサポートされたＰＤＰコンテクストに応答してもよい。
ＰＤＰ要求は、好ましいＰＤＰコンテクストの認識を含み、選択手段は、更に、その好ましいＰＤＰコンテクストにも応答する。通信手段は、好ましいＰＤＰコンテクストが選択されたことを確認するメッセージをユーザ装置に送信するように適応されてもよい。
【００２８】
選択手段は、ＰＤＰコンテクストにおいて送信されるべきトラフィックの形式を決定するための手段を含んでもよい。
選択手段は、第１組のシグナリング形式として第１のＰＤＰコンテクストを選択する手段と、第２組のシグナリング形式として第２のＰＤＰコンテクストを選択する手段とを備えてもよい。通信手段は、許可されたトラフィック形式をユーザ装置へ通信するように適応されてもよい。トラフィックは、シグナリングトラフィックであるのが好ましい。
【００２９】
ＰＤＰコンテクストは、専用のシグナリングＰＤＰコンテクスト及び汎用のＰＤＰコンテクストを含んでもよい。ネットワーク要素は、ゲートウェイＧＰＲＳサポートノードであるのが好ましい。要求手段は、サービングＧＰＲＳサポートノードからＰＤＰ要求を受信するように接続されるのが好ましい。
【００３０】
本発明は、更に、ユーザ装置とネットワークとの間のトラフィックに対するＰＤＰコンテクストを決定するネットワーク要素において、ユーザ装置からの、好ましいＰＤＰコンテクストの認識を含む第１のＰＤＰ要求を第１ネットワーク要素で受信する手段と、この第１ネットワーク要素からの、前記第１のＰＤＰ要求の少なくとも一部分を含む第２のＰＤＰ要求を第２ネットワーク要素で受信する手段であって、この第２ネットワーク要素が、トラフィックに対するＰＤＰコンテクストを選択する手段を含むものである手段と、その選択されたＰＤＰコンテクストをユーザ装置に対して確認する手段と、を備えたネットワーク要素を提供する。
【００３１】
第２のＰＤＰ要求は、好ましいＰＤＰコンテクストの認識を含んでもよく、選択手段は、好ましいＰＤＰコンテクスト及びネットワークによりサポートされるＰＤＰコンテクストに基づく。
又、第２のＰＤＰ要求は、前記好ましいＰＤＰコンテクストの認識を含まなくてもよく、第２ネットワーク要素は、ネットワークによりサポートされるＰＤＰコンテクストに基づいてＰＤＰコンテクストを選択する。
【００３２】
選択されたＰＤＰコンテクストは、デフォールトＰＤＰコンテクストでよい。又、選択されたＰＤＰコンテクストは、専用のシグナリングＰＤＰコンテクスト及び汎用のＰＤＰコンテクストの一方でよい。第１ネットワーク要素はＳＧＳＮでよく、そして第２ネットワーク要素はＧＧＳＮでよい。メッセージは、ユーザ装置への原因コードでよい。
【００３３】
又、本発明によれば、ユーザ装置からの、好ましいＰＤＰコンテクストの認識を含むＰＤＰ要求を受信するためのサービングＧＰＲＳサポートノードと、このサービングＧＰＲＳサポートノードからのＰＤＰ要求を受信するためのゲートウェイＧＰＲＳサポートノードとを備えた通信システムにおいて、ゲートウェイＧＰＲＳサポートノードは、ネットワークによりサポートされるＰＤＰコンテクストに基づいてユーザ装置と通信システムとの間のシグナリングトラフィックに対して専用のシグナリングＰＤＰコンテクスト又は汎用のＰＤＰコンテクストを選択し、そしてその選択されたＰＤＰコンテクストをユーザ装置に確認するように適応される通信システムが提供される。
【００３４】
ゲートウェイＧＰＲＳサポートノードは、好ましいＰＤＰコンテクストの認識を含むＰＤＰ要求をサービングＧＰＲＳノードから受信するのが好ましく、ゲートウェイＧＰＲＳサポートノードは、好ましいＰＤＰコンテクストの認識に更に基づいてシグナリングＰＤＰコンテクストを選択するように更に適応される。
【００３５】
本発明の方法及び装置では、更に、ＵＥにより要求されるセッションの認識が非常セッションであり、そして好ましくは、ＵＥが、非常ＰＤＰコンテクストに対する要求の指示を含むＰＤＰ要求メッセージを送信する。非常ＰＤＰコンテクストは、媒体セッションに対するポリシー情報に基づいて許されてもよい。
【００３６】
本発明は、更に、ＰＤＰコンテクストがユーザ装置とネットワークとの間に確立されるトラフィックである通信システムのための原因コードであって、ユーザ装置からのＰＤＰ要求をネットワーク要素で受信し、トラフィックに対して専用のシグナリングＰＤＰコンテクスト又は汎用のＰＤＰコンテクストを選択し、そしてその選択されたＰＤＰコンテクストを、原因コードを使用してユーザ装置へ確認することにより、ＰＤＰコンテクストを確立するようにされた原因コードも提供する。
【００３７】
更に、本発明は、ネットワークによりアクチベートされたシグナリングＰＤＰコンテクストをユーザ装置へ指示する３ＧＰＰ  Ｒ５通信システムのための原因コードも提供する。
【発明を実施するための最良の形態】
【００３８】
以下、添付図面を参照して、本発明を詳細に説明する。
本発明は、特定例を参照して一例として説明する。しかしながら、本発明は、ここに述べる例に限定されない。
図１には、本発明の好ましい実施形態を理解するために３ＧＰＰネットワークの主たる要素が示されている。
【００３９】
ユーザ装置（ＵＥ）１０は、参照番号３０で一般的に示された通信ネットワークに接続される。この通信ネットワーク３０は、サービングＧＰＲＳサポートノード（ＳＧＳＮ）１２と、ゲートウェイＧＰＲＳサポートノード（ＧＧＳＮ）１４とを含む。通信ネットワーク３０の構成は、当業者に良く知られている。一般に、通信ネットワークのＧＧＳＮ１４とユーザ装置１０との間にはＳＧＳＮ１２を経て通信セッションが確立される。
【００４０】
３ＧＰＰ  Ｒ５によれば、通信ネットワークは、専用のシグナリングパケットデータプロトコル（ＰＤＰ）コンテクスト又は汎用のＰＤＰコンテクストのいずれかにおいてユーザ装置と通信ネットワークとの間のＩＰマルチメディアサブシステム（ＩＭＳ）関連シグナリングトラフィックをサポートすることができる。これは、図１において、ＧＧＳＮ１４に通信接続されたＩＭＳサーバー３１により示されている。通信ネットワークのＧＧＳＮのオペレータは、専用のシグナリングＰＤＰコンテクストが通信ネットワークによってサポートされるかどうか決定する。
【００４１】
ユーザ装置１０が通信ネットワークを経てセッションを開始するときには、通信ネットワークにおいてユーザ装置とＧＧＳＮとの間にＰＤＰコンテクストを確立しなければならない。３ＧＰＰ  Ｒ５によれば、ユーザ装置は、ＰＤＰコンテクストを確立する際に専用のシグナリングＰＤＰコンテクストを使用することを要求できる。これは、ＰＤＰコンテクストアクチベーション、二次ＰＤＰコンテクストアクチベーション、又はＰＤＰコンテクスト変更にシグナリングフラグをセットすることにより行なわれる。
【００４２】
図１と共に図２を参照すれば、本発明の好ましい実施形態に基づくＰＤＰコンテクストアクチベーションの一例が示されている。ここに示す例は、「ＰＤＰコンテクストアクチベート要求(Activate PDP Context Request)」に基づくものである。他の例は、「二次ＰＤＰコンテクストアクチベート要求(Activate Secondary PDP Context Request)」又は「ＰＤＰコンテクスト変更要求(Modify PDP Context Request)」を含む。
【００４３】
ＰＤＰコンテクストアクチベーションでは、ＵＥ１０は、「ＰＤＰコンテクストアクチベート要求」メッセージ５０をネットワーク３０のＳＧＳＮ１２へ送信する。３ＧＰＰ  Ｒ５によれば、このメッセージは、おそらくシグナリングフラグを含むプロトコルコンフィギュレーションオプション（ＰＣＯ）を含んでもよい。この例の説明上、シグナリングフラグがセットされて、専用のシグナリングＰＤＰコンテクストに対する要求を指示すると仮定する。
【００４４】
既知の技術によれば、ＳＧＳＮ１２は、次いで、「ＰＤＰコンテクスト生成要求(Create PDP Context Request)」メッセージ５２をＧＧＳＮ１４へ送信する。この場合も、このメッセージは、おそらくシグナリングフラグを含むＰＣＯを含んでもよい。
【００４５】
「ＰＤＰコンテクスト生成要求」メッセージは、ＧＧＳＮ１４の入力／出力ブロック１８で受け取られる。ＧＧＳＮの制御ブロック１６は、このメッセージ５２を読み取り、そして既知の手順の一部分として、シグナリングフラグがセットされたかどうか決定する。シグナリングフラグがセットされた場合には、ＧＧＳＮは、シグナリングＰＤＰコンテクストがネットワークによりサポートされるかどうかチェックする。この実施形態では、制御ブロック１６は、ネットワークによりサポートされるシグナリングＰＤＰコンテクストの詳細を記憶する記憶ブロック２０をチェックする。
【００４６】
ここに示す例では、ネットワークが専用のシグナリングＰＤＰコンテクストをサポートすると仮定する。それ故、制御ブロック１６は、既知の技術に基づいて専用のシグナリングＰＤＰコンテクストを構成する。
既知の技術によれば、ＰＤＰコンテクストがアクチベートされると、ＧＧＳＮ１４は、「応答（受け入れ）」メッセージ５４をＳＧＳＮ１２へ返送し、これは、次いで、「応答（受け入れ）」メッセージ５６をＵＥ１０へ送信する。
【００４７】
本発明の好ましい実施形態によれば、「応答（受け入れ）」メッセージは、確立されたＰＤＰコンテクストの指示を含むように変更又は拡張される。即ち、このメッセージは、専用のシグナリングＰＤＰコンテクストが確立されたかどうかの指示を含む。これは、多数のやり方で行うことができる。
【００４８】
ＰＤＰコンテクスト状態をＵＥへ通信するための一実施形態が図３の（ａ）に示されており、ここで、「応答（受け入れ）」メッセージは、シグナリングフラグを含むプロトコルコンフィギュレーションオプション（ＰＣＯ）を備えている。ＧＧＳＮは、「応答（受け入れ）」メッセージ５４のシグナリングフラグをセットして、専用のシグナリングＰＤＰコンテクストが確立されたことを指示すると共に、ＳＧＳＮは、そのシグナリングフラグを「応答（受け入れ）」メッセージ５６にコピーする。このように、「応答（受け入れ）」メッセージにおいてシグナリングフラグをセットすることは、専用のシグナリングＰＤＰコンテクストが確立されたか、又は汎用のＰＤＰコンテクストが確立されたことをＵＥに指示する。
【００４９】
上述した例に対する更に別の変更であって、ネットワークが専用のシグナリングＰＤＰコンテクストをサポートしない場合について、以下に考える。このような筋書きに対して２つの実施形態を考える。
【００５０】
第１の実施形態では、ＧＧＳＮが、シグナリングフラグがセットされた状態で「ＰＤＰコンテクスト生成要求」を受信し、そしてネットワークが専用のシグナリングＰＤＰコンテクストをサポートしないときに、ネットワークは、いずれにせよ、ＰＤＰコンテクストを汎用のＰＤＰコンテクストとして確立する。この実施形態では、ＰＤＰコンテクストが拒絶されず、従って、ＵＥが、更なるＰＤＰコンテクストアクチベーション、二次ＰＤＰコンテクストアクチベーション又はＰＤＰコンテクスト変更を開始する要求が生じない。これは、ＵＥとネットワークとの間にあまりシグナリングを必要としないという効果がある。好ましくは、ネットワークは、汎用のＰＤＰコンテクストがアクチベートされたことをＵＥに通知し、これは、ＳＧＳＮ１２へ返送される「応答（受け入れ）」メッセージ５４及びＵＥ１０へ返送される「応答（受け入れ）」メッセージにおいてシグナリングフラグをセットしないことにより行なわれてもよい。これは、図３の（ｂ）に示されている。従って、ＵＥは、確立されたＰＤＰコンテクストを知る。
【００５１】
第２の実施形態においては、ＧＧＳＮが、シグナリングフラグがセットされた状態で「ＰＤＰコンテクスト生成要求」を受信し、そしてネットワークが専用のシグナリングＰＤＰコンテクストをサポートしないときに、ＰＤＰコンテクストがＧＧＳＮにより拒絶される。３ＧＰＰ  Ｒ５には、既存の原因コード「サービスはサポートされず(Service Not Supported)」がある。この原因コードは、ＵＥへ返送することができる。これは、図３の（ｃ）に示されている。しかしながら、これは、ネットワークが専用のシグナリングＰＤＰコンテクストをサポートしないという情報をＵＥに与えるものではない。ＰＤＰコンテクスト拒絶を受信した後に、ＵＥは、汎用のＰＤＰコンテクストを要求するＰＤＰコンテクストを開始して、そのようなＰＤＰコンテクストがまだ存在しない場合へと進むことが必要となる。
【００５２】
上述した第１及び第２の両実施形態の場合に、本発明は、ＵＥへ送信するための新たな原因コードを更に提供するのが好ましい。このような原因コードは、例えば、「専用のシグナリングＰＤＰコンテクストはサポートされず(Dedicated Signalling PDP Context not Supported)」である。この原因コードは、プロトコルコンフィギュレーションオプション（ＰＣＯ）を使用してＳＧＳＮを経て透過的に搬送されるのが好ましい。或いは又、この原因コードは、図３の（ｄ）に示すように、ＧＧＳＮからＳＧＳＮへそしてＳＧＳＮからＵＥへ搬送されてもよい。
【００５３】
上記例では、ネットワークの全ての要素が３ＧＰＰ  Ｒ５をサポートすると仮定する。しかしながら、リリース５以前の３ＧＰＰのＳＧＳＮが、ＧＧＳＮがＲ５であるネットワークに使用されることが考えられる。ＳＧＳＮがＲ５以前である場合には、「二次ＰＤＰコンテクストアクチベート要求」又は「ＰＤＰコンテクスト変更要求」におけるシグナリングフラグを確認することができない。従って、このフラグは、ＧＧＳＮへ転送されず、ＧＧＳＮは、ＵＥが専用のシグナリングＰＤＰコンテクストを要求したことを知らない。このような場合に、ＧＧＳＮは、汎用のＰＤＰコンテクストを割り当てることができるが、ＵＥがそのようなことを期待していないことを知らない。
【００５４】
それ故、本発明の好ましい実施形態によれば、ＧＧＳＮは、シグナリングフラグが受信されそしてネットワークが必要なサポートを与えるときには、首尾良い専用のシグナリングＰＤＰコンテクストアクチベーションを常に指示する。従って、ＵＥがこの指示を受信しないが、ＰＤＰコンテクストがアクチベートされた指示を受信する場合には、ＰＤＰコンテクストアクチベーションが通常のものであり、即ち汎用のＰＤＰコンテクストであることを知る。好ましくは、この指示は、例えば、ＰＣＯにおいて、ＳＧＳＮを経て透過的に与えられる。本明細書のどこかで述べるように、この指示は、新たな原因コードを使用して送信されてもよいし、又はＵＥへのメッセージにおいてシグナリングフラグをセットすることにより送信されてもよい。
【００５５】
このようなケースにおいて、ＳＧＳＮがＲ５以前であることがＵＥに分かった場合には、ＰＤＰコンテクストが首尾良くアクチベートされたというメッセージを受信したときに、それが汎用のＰＤＰコンテクストであることを知る。ＵＥは、「応答（受け入れ）」メッセージがプロトコルコンフィギュレーションオプションを含まない場合にＳＧＳＮがＲ５以前のＳＧＳＮであることを知る。しかしながら、このようなケースでは、ネットワークが専用のシグナリングＰＤＰコンテクストをサポートするかどうかに関わらず、ＳＧＳＮがＲ５以前であることから、専用のシグナリングＰＤＰコンテクストが確立されない。
【００５６】
更に別の実施形態では、本発明は、どのトラフィックが、受け入れられたシグナリングＰＤＰコンテクストで搬送されることが許されたかをネットワークのオペレータが判断できるようにするメカニズムを提供する。この有用性は、専用のシグナリングＰＤＰコンテクストのようなあるＰＤＰコンテクストにおけるトラフィックを無料で搬送するのを許すことである。３ＧＰＰ  Ｒ５は、専用のシグナリングＰＤＰコンテクストがＳＩＰ、ＤＨＣＰ及びＤＮＳトラフィックを搬送するよう指定する。しかしながら、オペレータは、他の形式のトラフィックを専用のシグナリングＰＤＰコンテクストで搬送することが許されることも希望する。
【００５７】
それ故、本発明は、この実施形態では、選択されたＰＤＰコンテクストにおいてサポートできるトラフィックの形式をＵＥに通知する手段を提供する。この情報は、例えば、プロトコルコンフィギュレーションオプション（ＰＣＯ）又はトラフィック流テンプレート（ＴＦＴ）においてＳＧＳＮを経て透過的に搬送されるのが好ましい。ネットワークは、許されたトラフィックのリストを、例えば、プロトコル、ＩＰアドレス、ポート番号（ここからプロトコルを導出できる）、等の形態で送信してもよい。許されたトラフィックのリストは、例えば、「応答（受け入れ）」メッセージを送信するときにＧＧＳＮから搬送されてもよい。
【００５８】
本発明は、特にＵＥが専用のシグナリングＰＤＰコンテクストを要求する場合にアクチベートされたＰＤＰをＵＥへ通信するものであるので、ユーザ装置は、実際に汎用のＰＤＰコンテクストが確立された場合にそれが通知され、それ故、ＵＥは、従来の料金がＰＤＰコンテクストに適用されることを知る。又、ＵＥは、ＩＰマルチメディアサブシステム関連シグナリングトラフィック以外の付加的なトラフィックをＰＤＰコンテクストに搬送できる場合にそれが通知されるのが好ましい。
【００５９】
以上の実施形態は、一次ＰＤＰコンテクストアクチベーション、即ちＵＥが「ＰＤＰコンテクストアクチベート要求」をネットワークへ送信するときの、ＵＥ及びネットワークの振舞い及び情報交換について説明した。二次ＰＤＰコンテクストアクチベーション、即ちＵＥが「二次ＰＤＰコンテクストアクチベート要求」をネットワークへ送信するとき、又はＰＤＰコンテクスト変更、即ちＵＥが「ＰＤＰコンテクスト変更要求」をネットワークへ送信するときにも、同じＵＥ及びネットワーク振舞い及び情報交換を適用できる。
【００６０】
前記の例では、ＰＤＰコンテクスト要求（ＰＤＰコンテクストアクチベーション、二次ＰＤＰコンテクストアクチベーション、又は任意であるがＰＤＰコンテクスト変更）にその要求を識別するフラグを含ませることにより、ＵＥがＰＤＰコンテクストの特定形式を要求する例示的筋書きを説明した。この例示的筋書きでは、要求は、専用のＰＤＰコンテクストが要求されることを識別するシグナリングフラグを含む。
【００６１】
より一般的には、前記説明から明らかなように、本発明は、特定のＰＤＰコンテクストを識別するシグナリングフラグにより、ＵＥがそのコンテクストを要求するのを容易にする。図４を参照して、更に別の例を以下に説明するが、この例では、ＵＥが、非常セッション指示を識別するシグナリングフラグをＰＤＰコンテクスト要求に含ませ、即ち非常フラグを要求に含ませることにより、非常セッションの確立を要求する。このようなフラグが必要とされるのは、ＧＰＲＳレベルにおいて、非常セッションのベアラを確立するためのメカニズムが、３ＧＰＰ提案に現在規定されている通常のＧＰＲＳベアラ確立とは異なるからである。関連するベアラに特定の処理を適用できるようにするためにネットワークが非常セッションを検出できることが必要である。
【００６２】
図４の例を更に参照すると、ＵＥは、ＰＤＰコンテクストアクチベーション中に、非常セッション指示、即ち非常フラグを含ませることにより、非常セッションのベアラを確立する。これは、一次及び二次の両ＰＤＰコンテクストアクチベーション手順に適用できる。又、この指示は、ＵＥが非常セッションの前にデタッチされており、従って、最初にアタッチを行なう場合には、アタッチ要求にも必要とされる。
【００６３】
本発明のこの実施形態によれば、ユーザ装置は、ＰＤＰコンテクストを確立する際に、非常セッションを確立することを要求できる。これは、ＰＤＰコンテクストアクチベーション、二次ＰＤＰコンテクストアクチベーション、又は任意であるが、ＰＤＰコンテクスト変更においてシグナリングフラグをセットすることにより行なわれる。
【００６４】
図１と共に図４の（ａ）を参照すれば、本発明の好ましい実施形態による非常セッションのためのＰＤＰコンテクストアクチベーションの一例が示されている。ここに示す例は、「ＰＤＰコンテクストアクチベート要求」に基づく。
【００６５】
ＰＤＰコンテクストアクチベーションでは、ＵＥ１０は、「ＰＤＰコンテクストアクチベート要求」メッセージ１０２をネットワーク３０のＳＧＳＮ１２へ送信し、このメッセージは、非常フラグを含む。
既知の技術に基づき、ＳＧＳＮ１２は、「ＰＤＰコンテクスト生成要求」メッセージ１０４をＧＧＳＮ１４へ送信する。このメッセージも、又、非常フラグを含む。
【００６６】
「ＰＤＰコンテクスト生成要求」メッセージは、ＧＧＳＮ１４の入力／出力ブロック１８に受信される。ＧＧＳＮの制御ブロック１６は、メッセージ５２を読み取り、そして非常フラグがセットされたことを識別する。非常フラグがセットされた場合には、ＧＧＳＮは、非常シグナリングＰＤＰコンテクストがＵＥ１０のネットワークにおいて得られるかどうかチェックする。一実施形態では、制御ブロック１６は、ネットワークに現在得られる非常シグナリングＰＤＰコンテクストの詳細を記憶できる記憶ブロック２０をチェックすることができる。
【００６７】
ここに示す例では、非常シグナリングＰＤＰコンテクストが得られると仮定する。それ故、制御ブロック１６は、非常シグナリングＰＤＰコンテクストを既知の技術に基づいて構成する。
既知の技術によれば、非常ＰＤＰコンテクストがアクチベートされると、ＧＧＳＮ１４は、「応答（受け入れ）」メッセージ１０６をＳＧＳＮ１２へ返送し、このメッセージは、非常フラグを含む。ＳＧＳＮ１２は、次いで、「応答（受け入れ）」メッセージ１０８をＵＥ１０へ送信し、このメッセージも非常フラグを含む。
【００６８】
上述したように、本発明のこの実施形態では、「応答（受け入れ）」メッセージは、非常ＰＤＰコンテクストが確立されたという指示を含むように変更又は拡張される。即ち、このメッセージは、非常シグナリングＰＤＰコンテクストが確立されたかどうかの指示を含む。
【００６９】
このように、非常ＰＤＰコンテクストが確立されたことがＵＥに確実に通知される。何らかの理由で、ネットワークが非常ＰＤＰコンテクストを確立できなかった場合には、ＵＥへの応答メッセージに非常フラグが存在しないことで、非常ＰＤＰコンテクストが確立されなかったことがＵＥに通知される。
【００７０】
従って、ＵＥが非常ＰＤＰコンテクストを要求したが、ネットワークが通常のＰＤＰコンテクストしか確立しない場合には、ＵＥがこれに気付く。これは、例えば、ＳＧＳＮが要求における非常フラグを解釈するように構成されず、従って、それを無視する筋書きにおいて生じ得る。このような筋書きでは、特に要求されたセッションが確立されなかったことをダウンリンク通信で指示することが必要となる。
【００７１】
更に別のオプションとして、ＵＥは、ＰＤＰコンテクストアクチベーション要求メッセージをＳＧＳＮから受信する。これは、例えば、非常フラグがＳＧＳＮにより理解され（即ち、フラグがプロトコル定義において「必要な包括事項」としてコード化され）、そしてＳＧＳＮが非常フラグを解釈するように構成されない場合に生じることがある。この場合に、拒絶は、ＳＧＳＮが非常ＰＤＰコンテクストをＵＥへ割り当てできないことをＵＥに指示する。
【００７２】
ＵＥによる非常ＰＤＰコンテクストの要求は、特定のコンテクストが許可されたかどうかをＵＥが知ることが重要な特殊なケースである。非常ＰＤＰコンテクストは、ドロップできず、他のコンテクストより高いプライオリティが割り当てられてもよく、そして特殊なルーティングが割り当てられてもよい。従って、ＵＥに、これらの予想される特徴をもたない異なる形式のコンテクストが割り当てられた場合には、ＵＥがそれを知ることが重要となる。
【００７３】
非常ＰＤＰコンテクストが確立されない場合には、ＵＥが適当なデフォールトアクションをとってもよい。これは、例えば、ＩＭＳ非常セッションに対して、既にアクチベートされた通常のＰＤＰコンテクストを再使用するか、又は回路交換ドメインを使用することを含んでもよい。
【００７４】
図４の（ｂ）には、非常セッションの媒体（及びおそらくはシグナリングも）に対するＰＤＰコンテクストのアクチベーションの更なる例、即ち、二次ＰＤＰコンテクストアクチベーションが示されている。この二次ＰＤＰコンテクストアクチベーションでは、ＵＥ１０は、「二次ＰＤＰコンテクストアクチベート要求」メッセージ１１０をネットワーク３０のＳＧＳＮ１２へ送信し、このメッセージは、非常セッションを指示する非常フラグを含む。
【００７５】
シグナリングＰＤＰコンテクストが何らかの理由でネットワークによりドロップされた場合には、ＵＥは、二次ＰＤＰコンテクストを使用することにより非常セッションに対してシグナリングＰＤＰコンテクストを再確立してもよい。この場合に二次ＰＤＰコンテクストを使用することは、ＰＤＰコンテクストが非常セッションの媒体に対する既存のＰＤＰコンテクストにリンクされることを保証する。
既知の技術により、ＳＧＳＮ１２は、次いで、「ＰＤＰコンテクスト生成要求」メッセージ１１２をＧＧＳＮ１４へ送信する。このメッセージも、非常フラグを含む。
【００７６】
「ＰＤＰコンテクスト生成要求」メッセージは、ＧＧＳＮ１４の入力／出力ブロック１８で受信される。ＧＧＳＮの制御ブロック１６は、メッセージ５２を読み取り、そして非常フラグがセットされたことを識別する。非常フラグがセットされた場合には、ＧＧＳＮは、非常シグナリングＰＤＰコンテクストがＵＥ１０に対してネットワークに得られるかどうかチェックする。一実施形態では、制御ブロック１６は、ネットワークに現在得られるシグナリングＰＤＰコンテクストの詳細を記憶できる記憶ブロック２０をチェックしてもよい。
ここに示す例では、非常シグナリングＰＤＰコンテクストが得られると仮定する。それ故、制御ブロック１６は、既知の技術に基づき非常シグナリングＰＤＰコンテクストを構成する。
【００７７】
任意の実施形態では、非常セッションを確立できるかどうか決定する際に、ＧＧＳＮは、参照番号１００で示されたプロキシーコール状態制御ファンクション（Ｐ−ＣＳＣＦ）又はポリシー判断ファンクション（ＰＤＦ）へ、要求されたＰＤＰコンテクストの認識を含むＣＯＰＳ要求メッセージ１１４を送信してもよい。このような例では、Ｐ−ＣＳＣＦ／ＰＣＦ１００は、ネットワークポリシーに関連した情報を記憶し、そしてポリシー情報の詳細を含むＣＯＰＳ判断メッセージ１１６をＧＧＳＮへ返送する。このポリシー情報に基づき、ＧＧＳＮは、非常ＰＤＰコンテクストをサポートできるかどうかの判断を行い、そしてその判断、即ちここに示すケースでは非常ＰＤＰコンテクストをアクチベートすること、を報告するＣＯＰＳレポートメッセージ１１８をＰ−ＣＳＣＦ／ＰＣＦ１００へ送信する。
【００７８】
その後、非常ＰＤＰコンテクストがアクチベートされると、ＧＧＳＮ１４は、非常フラグを含む「応答（受け入れ）」メッセージ１２０をＳＧＳＮ１２へ送信する。ＳＧＳＮ１２は、次いで、これも非常フラグを含む「応答（受け入れ）」メッセージ１２２をＵＥ１０へ送信する。
従って、上述したように、本発明は、一実施形態において、要求された特定のＰＤＰコンテクスト（非常セッション用のＰＤＰコンテクスト）が許可されたかどうかの指示を要求者へ送信するのを許す。
【００７９】
特定の実施形態を参照して本発明を説明したが、本発明は、このような実施形態に限定されない。本発明は、もっと広範囲に適用できることが当業者に明らかであろう。本発明の範囲は、特許請求の範囲によって限定される。
【図面の簡単な説明】
【００８０】
【図１】本発明を説明するための３ＧＰＰネットワークの主たる要素を示す図である。
【図２】既知のＰＤＰコンテクストアクチベーションを示す図である。
【図３】（ａ）から（ｄ）は、本発明の実施形態によるＰＤＰコンテクストアクチベーションの通信を示す図である。
【図４】（ａ）及び（ｂ）は、本発明の実施形態による非常ＰＤＰコンテクストの確立を示す図である。
【図１】
2005536092.tif 000003
【図２】
2005536092.tif 000004
【図３】
2005536092.tif 000005
【図４】
2005536092.tif 000006
【手続補正書】
【提出日】平成16年8月13日(2004.8.13)
【手続補正１】
【補正対象書類名】特許請求の範囲
【補正対象項目名】全文
【補正方法】変更
【補正の内容】
【特許請求の範囲】
【請求項１】
ユーザ装置とネットワークとの間のトラフィックに対する通信接続を確立するための方法において、好ましい通信接続の指示を含む通信接続要求を前記ユーザ装置からネットワーク要素へ送信するステップと、前記要求の少なくとも一部分を前記ネットワーク要素において受信するステップと、トラフィックに対する通信接続を前記ネットワーク要素において選択するステップと、その選択された通信接続を前記ユーザ装置へ通信するステップと、を備えた方法。
【請求項２】
前記好ましい通信接続がネットワークによってサポートされない場合には別の通信接続を前記ネットワーク要素において選択する請求項１に記載の方法。
【請求項３】
前記通信接続は、ＰＤＰコンテクストである請求項１に記載の方法。
【請求項４】
前記通信ステップは、前記選択されたＰＤＰコンテクストを識別するメッセージを前記ユーザ装置へ送信することを含む請求項３に記載の方法。
【請求項５】
前記通信ステップは、非選択のＰＤＰコンテクストを識別するメッセージを前記ユーザ装置へ送信することを含む請求項３に記載の方法。
【請求項６】
ＰＤＰコンテクストを選択する前記ステップは、好ましいＰＤＰコンテクストと、前記ネットワークによりサポートされるＰＤＰコンテクストとに基づく請求項３から５のいずれかに記載の方法。
【請求項７】
前記通信ステップは、前記好ましいＰＤＰコンテクストが選択されたことを確認するメッセージを前記ユーザ装置に送信することを含む請求項６に記載の方法。
【請求項８】
前記通信ステップは、前記好ましいＰＤＰコンテクストを拒絶するメッセージを前記ユーザ装置に送信することを含む請求項６に記載の方法。
【請求項９】
前記メッセージは、前記好ましいＰＤＰコンテクストに対する代替物を識別する請求項６に記載の方法。
【請求項１０】
前記選択ステップは、前記ＰＤＰコンテクストにおいて送信されるべきトラフィックの形式を決定することを含む請求項３から９のいずれかに記載の方法。
【請求項１１】
前記選択ステップは、第１組のトラフィック形式として第１のＰＤＰコンテクストを選択し、そして第２組のトラフィック形式として第２のＰＤＰコンテクストを選択することを含む請求項３から１０のいずれかに記載の方法。
【請求項１２】
前記通信ステップは、許可されたトラフィック形式を前記ユーザ装置へ通信することを含む請求項１０又は１１に記載の方法。
【請求項１３】
前記トラフィックは、シグナリングトラフィックである請求項３から１２のいずれかに記載の方法。
【請求項１４】
前記少なくとも２つのＰＤＰコンテクストは、専用のシグナリングＰＤＰコンテクスト及び汎用のＰＤＰコンテクストを含む請求項３から１３のいずれかに記載の方法。
【請求項１５】
前記ユーザ装置からのＰＤＰ要求を更に別のネットワーク要素において受信するステップと、そのＰＤＰ要求を前記更に別のネットワーク要素から前記ネットワーク要素へ送信するステップとを更に備えた請求項３から１４のいずれかに記載の方法。
【請求項１６】
前記更に別のネットワーク要素は、前記要求から前記好ましいＰＤＰコンテクストを除去し、前記更に別のネットワーク要素から前記ネットワーク要素へ送信される前記要求が好ましいＰＤＰコンテクストの指示を含まないようにする請求項１５に記載の方法。
【請求項１７】
前記通信ステップは、原因コード又はシグナリングフラグを送信することを含む請求項３から１６のいずれかに記載の方法。
【請求項１８】
前記通信要求は、非常接続要求を識別する請求項１から３のいずれかに記載の方法。
【請求項１９】
前記通信要求は、非常ＰＤＰコンテクストを識別する請求項３又は１８に記載の方法。
【請求項２０】
トラフィックに対する通信の前記選択は、ネットワークポリシーに基づく請求項１８又は１９に記載の方法。
【請求項２１】
ユーザ装置とネットワークとの間のシグナリングトラフィックのためのＰＤＰコンテクストを確立する方法において、前記ユーザ装置からの、好ましいＰＤＰコンテクストの認識を含む第１のＰＤＰ要求を第１ネットワーク要素で受信するステップと、前記第１ネットワーク要素からの、前記第１のＰＤＰ要求の少なくとも一部分を含む第２のＰＤＰ要求を第２ネットワーク要素で受信するステップと、シグナリングトラフィックに対するＰＤＰコンテクストを前記第２ネットワーク要素において選択するステップと、その選択されたＰＤＰコンテクストを前記ユーザ装置に対して確認するステップと、を備えた方法。
【請求項２２】
前記第２のＰＤＰ要求は、前記好ましいＰＤＰコンテクストの認識を含み、前記第２ネットワーク要素は、前記好ましいＰＤＰコンテクスト及び前記ネットワークによりサポートされるＰＤＰコンテクストに基づいてＰＤＰコンテクストを選択する請求項２１に記載の方法。
【請求項２３】
前記第２のＰＤＰ要求は、前記好ましいＰＤＰコンテクストの認識を含まず、前記第２ネットワーク要素は、前記ネットワークによりサポートされるＰＤＰコンテクストに基づいてＰＤＰコンテクストを選択する請求項２１に記載の方法。
【請求項２４】
前記選択されたＰＤＰコンテクストは、デフォールトＰＤＰコンテクストである請求項２３に記載の方法。
【請求項２５】
前記選択されたＰＤＰコンテクストは、専用のシグナリングＰＤＰコンテクスト及び汎用のＰＤＰコンテクストの一方を含む請求項２２から２４のいずれかに記載の方法。
【請求項２６】
前記確認ステップは、原因コードを前記ユーザ装置へ送信することを含む請求項２２から２５のいずれかに記載の方法。
【請求項２７】
前記好ましいＰＤＰコンテクストは、非常ＰＤＰコンテクストである請求項２１に記載の方法。
【請求項２８】
請求項３から２７のいずれかに記載の方法を実行するように適応されたコンピュータプログラムコードを記憶するためのコンピュータプログラム製品。
【請求項２９】
ユーザ装置とネットワークとの間のトラフィックに対する通信接続を決定するネットワーク要素において、前記ユーザ装置から通信接続要求を受信する手段と、前記トラフィックに対する通信チャンネルを選択する手段と、その選択された通信を前記ユーザ装置へ通信する手段とを備えたネットワーク要素。
【請求項３０】
前記通信チャンネルは、ＰＤＰコンテクストである請求項２９に記載のネットワーク要素。
【請求項３１】
前記通信チャンネル要求は、好ましい通信チャンネルの認識を含む請求項２９又は３０に記載のネットワーク要素。
【請求項３２】
前記通信手段は、選択されたＰＤＰコンテクストを識別するメッセージを前記ユーザ装置へ送信するように適応される請求項２９又は３１に記載のネットワーク要素。
【請求項３３】
前記通信手段は、非選択のＰＤＰコンテクストを識別するメッセージを前記ユーザ装置へ送信するように適応される請求項２９又は３１に記載のネットワーク要素。
【請求項３４】
少なくとも２つのＰＤＰコンテクストの一方を選択するための手段は、ネットワークによりサポートされたＰＤＰコンテクストに応答する請求項２９から３３のいずれかに記載のネットワーク要素。
【請求項３５】
前記ＰＤＰ要求は、好ましいＰＤＰコンテクストの認識を含み、前記選択手段は、更に、その好ましいＰＤＰコンテクストにも応答する請求項３４に記載のネットワーク要素。
【請求項３６】
前記通信手段は、前記好ましいＰＤＰコンテクストが選択されたことを確認するメッセージを前記ユーザ装置に送信するよう適応される請求項３５に記載のネットワーク要素。
【請求項３７】
前記選択手段は、前記ＰＤＰコンテクストにおいて送信されるべきトラフィックの形式を決定するための手段を含む請求項３０から３６のいずれかに記載のネットワーク要素。
【請求項３８】
前記選択手段は、第１組のシグナリング形式として第１のＰＤＰコンテクストを選択する手段と、第２組のシグナリング形式として第２のＰＤＰコンテクストを選択する手段とを備えた請求項３０から３７のいずれかに記載のネットワーク要素。
【請求項３９】
前記通信手段は、許可されたトラフィック形式を前記ユーザ装置へ通信するように適応される請求項３７又は３８に記載のネットワーク要素。
【請求項４０】
前記トラフィックは、シグナリングトラフィックである請求項３０から３７のいずれかに記載のネットワーク要素。
【請求項４１】
前記ＰＤＰコンテクストは、専用のシグナリングＰＤＰコンテクスト及び汎用のＰＤＰコンテクストを含む請求項３０から４０のいずれかに記載のネットワーク要素。
【請求項４２】
ゲートウェイＧＰＲＳサポートノードを備えた請求項３０から４１のいずれかに記載のネットワーク要素。
【請求項４３】
前記要求手段は、サービングＧＰＲＳサポートノードからＰＤＰ要求を受信するように接続される請求項４２に記載のネットワーク要素。
【請求項４４】
前記好ましい通信チャンネルは、非常通信チャンネルである請求項３５に記載のネットワーク要素。
【請求項４５】
ユーザ装置とネットワークとの間のトラフィックに対するＰＤＰコンテクストを決定するネットワーク要素において、前記ユーザ装置からの、好ましいＰＤＰコンテクストの認識を含む第１のＰＤＰ要求を第１ネットワーク要素で受信する手段と、前記第１ネットワーク要素からの、前記第１のＰＤＰ要求の少なくとも一部分を含む第２のＰＤＰ要求を第２ネットワーク要素で受信する手段であって、前記第２ネットワーク要素が、トラフィックに対するＰＤＰコンテクストを選択する手段を含むものである手段と、その選択されたＰＤＰコンテクストを前記ユーザ装置に対して確認する手段と、を備えたネットワーク要素。
【請求項４６】
前記第２のＰＤＰ要求は、前記好ましいＰＤＰコンテクストの認識を含み、前記選択手段は、前記好ましいＰＤＰコンテクスト及び前記ネットワークによりサポートされるＰＤＰコンテクストに基づく請求項４５に記載のネットワーク要素。
【請求項４７】
前記第２のＰＤＰ要求は、前記好ましいＰＤＰコンテクストの認識を含まず、前記第２ネットワーク要素は、前記ネットワークによりサポートされるＰＤＰコンテクストに基づいてＰＤＰコンテクストを選択する請求項４６に記載のネットワーク要素。
【請求項４８】
前記選択されたＰＤＰコンテクストは、デフォールトＰＤＰコンテクストである請求項４７に記載のネットワーク要素。
【請求項４９】
前記選択されたＰＤＰコンテクストは、専用のシグナリングＰＤＰコンテクスト及び汎用のＰＤＰコンテクストの一方である請求項４５から４８のいずれかに記載のネットワーク要素。
【請求項５０】
前記第１ネットワーク要素はＳＧＳＮであり、そして前記第２ネットワーク要素はＧＧＳＮである請求項４５から４９のいずれかに記載のネットワーク要素。
【請求項５１】
前記メッセージは、前記ユーザ装置への原因コードである請求項５０に記載のネットワーク要素。
【請求項５２】
前記好ましいＰＤＰコンテクストは、非常ＰＤＰコンテクストである請求項４５に記載のネットワーク要素。
【請求項５３】
ユーザ装置からの、好ましいＰＤＰコンテクストの認識を含むＰＤＰ要求を受信するためのサービングＧＰＲＳサポートノードと、このサービングＧＰＲＳサポートノードからのＰＤＰ要求を受信するためのゲートウェイＧＰＲＳサポートノードとを備えた通信システムにおいて、前記ゲートウェイＧＰＲＳサポートノードは、ネットワークによりサポートされるＰＤＰコンテクストに基づいてユーザ装置と通信システムとの間のシグナリングトラフィックに対して専用のシグナリングＰＤＰコンテクスト又は汎用のＰＤＰコンテクストを選択し、そしてその選択されたＰＤＰコンテクストを前記ユーザ装置に確認するように適応される通信システム。
【請求項５４】
前記ゲートウェイＧＰＲＳサポートノードは、好ましいＰＤＰコンテクストの認識を含むＰＤＰ要求をサービングＧＰＲＳノードから受信し、前記ゲートウェイＧＰＲＳサポートノードは、前記好ましいＰＤＰコンテクストの認識に更に基づいて前記シグナリングＰＤＰコンテクストを選択するように更に適応される請求項５３に記載の通信システム。
【請求項５５】
ユーザ装置とネットワークとの間のトラフィックに対してＰＤＰコンテクストを確立すべき通信システムのための原因コードにおいて、前記ユーザ装置からのＰＤＰ要求をネットワーク要素で受信し、トラフィックに対して専用のシグナリングＰＤＰコンテクスト又は汎用のＰＤＰコンテクストを選択し、そしてその選択されたＰＤＰコンテクストを、原因コードを使用して前記ユーザ装置へ確認することにより、ＰＤＰコンテクストを確立するようにした原因コード。
【請求項５６】
ネットワークによりアクチベートされたシグナリングＰＤＰコンテクストをユーザ装置へ指示する３ＧＰＰ  Ｒ５通信システムのための原因コード。
【国際調査報告】
2005536092.tif 000007
2005536092.tif 000008
2005536092.tif 000009